(57)【要約】【課題】部品点数の増加を抑えつつ、ファン装置においてファンのロック状態が発生した場合にファン装置へ入力される電圧のオーバーシュートを抑制する。【解決手段】ファン装置２０は、ファン３１がロック状態になった場合に電源電力の入力を低減又は遮断する保護動作を行う。灯具制御装置３０の制御部２１は、ファン３１がロック状態である場合にファン装置２０への電源電力の出力を遮断させる。制御部２１は、実際にファン３１のロック状態が発生した場合に、ファン装置２０にて保護動作が行われないうちに電源電力の出力を遮断させるように構成されている。【選択図】図１
2018041553.tif 000002
【特許請求の範囲】
【請求項１】
車両（１）に搭載される車両用灯具制御装置であって、
前記車両は、灯具（１０）、及び前記灯具を冷却するように構成されたファン装置（２０）を備え、
前記ファン装置は、ファン（３１）、及び前記ファンを回転させるように構成されたモータ（３２）を有し、当該車両用灯具制御装置から供給される電源電力によって前記モータが回転されることにより前記ファンが回転し、前記ファンが第１ロック状態になった場合は前記モータへの前記電源電力の入力を低減又は遮断する保護動作を行うよう構成されており、
当該車両用灯具制御装置は、
前記灯具を制御するように構成された灯具制御部（２１）と、
前記電源電力を生成して前記ファン装置へ出力するように構成された電源部（２３）と、
前記電源部から前記ファン装置への前記電源電力の出力を制御するように構成された電源制御部（２１）と、
を備え、
前記電源制御部は、
前記ファンの回転数を示す回転情報を取得するように構成された回転情報取得部（Ｓ１２０，Ｓ３２０）と、
前記回転情報取得部が取得した前記回転情報に基づいて前記ファンが第２ロック状態か否か判断し、前記ファンが前記第２ロック状態である場合に前記電源部から前記ファン装置への前記電源電力の出力を遮断させるように構成された出力遮断部（Ｓ１３０〜Ｓ１４０、Ｓ３３０〜Ｓ３４０）と、
を備え、
第２ロック状態は、第１ロック状態と同じか、若しくは、前記ファンの回転数が低下していく場合に前記第１ロック状態よりも先に前記第２ロック状態が発生するように設定されており、
前記出力遮断部は、実際に前記第２ロック状態が発生した場合に前記ファン装置にて前記保護動作が行われないうちに前記電源電力の出力を遮断させるように構成されている、
車両用灯具制御装置（３０）。
【請求項２】
請求項１に記載の車両用灯具制御装置であって、
前記第１ロック状態は、前記回転数を示す特定の物理量が、特定の第１閾値以上及び前記第１閾値未満のうち対応する前記回転数が低い方の値になっている状態であり、
前記第２ロック状態は、前記第１ロック状態と同じ状態、若しくは、前記第１閾値よりも対応する前記回転数が高い特定の値を第２閾値として、前記物理量が前記第２閾値以上及び前記第２閾値未満のうち対応する前記回転数が低い方の値になっている状態である、
車両用灯具制御装置。
【請求項３】
請求項２に記載の車両用灯具制御装置であって、
前記物理量は前記回転数である、車両用灯具制御装置。
【請求項４】
請求項１〜請求項３の何れか１項に記載の車両用灯具制御装置であって、
前記ファン装置は、前記ファンが実際に前記第１ロック状態になった場合、その第１ロック状態になってから少なくとも第１所要時間が経過した後に前記保護動作が行われるよう構成されており、
前記出力遮断部は、実際に前記第２ロック状態が発生してから、前記第１所要時間よりも短い第２所要時間が経過するまでの間に前記電源電力の出力を遮断させるように構成されている、
車両用灯具制御装置。
【請求項５】
請求項１〜請求項４の何れか１項に記載の車両用灯具制御装置であって、
前記第２ロック状態は、前記第１ロック状態と同じ状態である、車両用灯具制御装置。
【請求項６】
請求項１〜請求項５の何れか１項に記載の車両用灯具制御装置であって、
前記出力遮断部は、前記ファンが前記第２ロック状態であると判断した場合、前記電源電力の出力を一定時間遮断させた後、再び前記ファン装置へ前記電源電力を出力させるように構成されており（Ｓ１７０〜Ｓ１８０）、
前記出力遮断部は、さらに、
前記ファンが前記第２ロック状態であると判断した回数を計数する計数部（Ｓ１５０）と、
前記計数部により計数された前記回数が回数閾値以上となった場合に、少なくとも前記電源電力の出力を前記一定時間よりも長い時間遮断させることを含む、異常確定処理を実行する異常確定部（Ｓ１９０）と、
を備える、車両用灯具制御装置。
【請求項７】
請求項１〜請求項６の何れか１項に記載の車両用灯具制御装置であって、
前記出力遮断部は、前記ファンが前記第２ロック状態であると判断した場合、前記電源電力の出力を一定時間遮断させた後、再び前記ファン装置へ前記電源電力を出力させるように構成されており（Ｓ３７０〜Ｓ３８０）、
前記出力遮断部は、さらに、
前記ファンが前記第２ロック状態であると判断した場合に、その判断時からの経過時間を計時する計時部（Ｓ３５０、Ｓ３６０）と、
前記計時部による前記計時の開始後、前記ファンが前記第２ロック状態ではないと判断されることなく前記計時部による前記経過時間が時間閾値以上となった場合に、少なくとも前記電源電力の出力を前記一定時間よりも長い時間遮断させることを含む、異常確定処理を実行する異常確定部（Ｓ４００）と、
を備える、車両用灯具制御装置。
【請求項８】
請求項１〜請求項７の何れか１項に記載の車両用灯具制御装置であって、
前記ファン装置は、前記回転情報を出力可能に構成されており、
前記回転情報取得部は、前記ファン装置から出力される前記回転情報を取得するよう構成されている、
車両用灯具制御装置。
【発明の詳細な説明】
【技術分野】
【０００１】
本開示は、車両における、灯具冷却用のファン装置へ電源電力を供給する技術に関する。
【背景技術】
【０００２】
車両において、灯具を冷却するためにファン装置を設けることがある。特に近年、車両用の灯具としてＬＥＤを光源とする灯具が普及しつつあり、ＬＥＤを用いた灯具のうち特に発熱量の大きい灯具に対しては、モータによりファンを回転させるよう構成されたファン装置を併設することが多い。
【０００３】
灯具冷却用のファン装置を設ける場合、車両には、ファン装置へ電源電力を供給する電源回路が設けられる。電源回路からファン装置へ電源電力を供給することで、ファンを回転させて灯具を冷却させることができる。
【０００４】
一方、ファン装置においては、高機能化が進んでおり、ファンがロック状態になった場合に電源回路からファン装置へ入力される駆動電流をファン装置自ら一時的に遮断させる保護機能を備えたものが知られている（例えば、特許文献１参照。）。
【先行技術文献】
【特許文献】
【０００５】
【特許文献１】特開２０１０−１２９２５８号公報
【発明の概要】
【発明が解決しようとする課題】
【０００６】
しかし、電源回路からファン装置へ電源電力が供給されている状態で、ファン装置の保護機能によりファン装置への駆動電流が遮断されると、電源回路の出力電圧が瞬間的にオーバーシュートする可能性がある。
【０００７】
電源回路の出力電圧がオーバーシュートすると、瞬間的ではあっても、そのオーバーシュートによる過大な電圧がファン装置に入力され、その過大な電圧によりファン装置が故障するおそれがある。
【０００８】
オーバーシュートを抑制する方法として、例えば、電源回路の出力側にコンデンサを設ける方法が考えられるが、その方法を採用すると、部品点数が増大する。
本開示は、部品点数の増加を抑えつつ、前述の保護機能を備えたファン装置においてファンのロック状態が発生した場合にファン装置へ入力される電圧のオーバーシュートを抑制する技術を提供する。
【課題を解決するための手段】
【０００９】
本開示の車両用灯具制御装置は、車両（１）に搭載される。車両は、灯具（１０）、及び灯具を冷却するように構成されたファン装置（２０）を備える。ファン装置は、ファン（３１）、及びファンを回転させるように構成されたモータ（３２）を有する。ファン装置は、当該車両用灯具制御装置から供給される電源電力によってモータが回転されることによりファンが回転し、ファンが第１ロック状態になった場合はモータへの電源電力の入力を低減又は遮断する保護動作を行うよう構成されている。
【００１０】
当該車両用灯具制御装置は、灯具制御部（２１）と、電源部（２３）と、電源制御部（２１）とを備える。灯具制御部は、灯具を制御するように構成されている。電源部は、電源電力を生成してファン装置へ出力するように構成されている。電源制御部は、電源部からファン装置への電源電力の出力を制御するように構成されている。
【００１１】
電源制御部は、より具体的には、回転情報取得部（Ｓ１２０，Ｓ３２０）と、出力遮断部（Ｓ１３０〜Ｓ１４０、Ｓ３３０〜Ｓ３４０）とを備えている。回転情報取得部は、ファンの回転数を示す回転情報を取得するように構成されている。出力遮断部は、回転情報取得部が取得した回転情報に基づいてファンが第２ロック状態か否か判断し、ファンが第２ロック状態である場合に電源部からファン装置への電源電力の出力を遮断させるように構成されている。
【００１２】
第２ロック状態は、第１ロック状態と同じか、若しくは、ファンの回転数が低下していく場合に第１ロック状態よりも先に当該第２ロック状態が発生するように設定されている。出力遮断部は、実際に第２ロック状態が発生した場合に、ファン装置にて保護動作が行われないうちにファン装置への電源電力の出力を遮断させるように構成されている。
【００１３】
このような構成によれば、ファン装置自身が、ファンが第１ロック状態になった場合に保護動作を行うよう構成されているのに対し、車両用灯具制御装置も、ファンが第２ロック状態か否か判断して第２ロック状態と判断した場合は電源電力の出力を遮断させる。しかも、第２ロック状態が発生した場合、ファン装置にて保護動作が行われないうちに車両用灯具制御装置が電源電力の出力を遮断させる。
【００１４】
そのため、ファン装置へ電源電力が入力されている状態のままファン装置側で保護動作が行われることが抑制され、ファンのロック状態が発生した場合に電源部からファン装置へ入力される電圧のオーバーシュートを抑制することが可能となる。
【００１５】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１６】
【図１】実施形態の車両の概略構成を示す構成図である。
【図２】灯具制御装置の制御部がロック対応機能を有していない場合における、ファンがロック状態になった場合の灯具制御装置及びファン装置の動作例を示す説明図である。
【図３】灯具制御装置の制御部がロック対応機能を有している場合における、ファンがロック状態になった場合の灯具制御装置及びファン装置の動作例を示す説明図である。
【図４】第１実施形態のファン電源制御処理のフローチャートである。
【図５】第２実施形態のファン電源制御処理のフローチャートである。
【発明を実施するための形態】
【００１７】
以下、本開示の実施形態について、図面を参照しながら説明する。
［１．第１実施形態］
（１−１）車両の概略構成
図１に示すように、車両１は、灯具１０と、ファン装置２０と、灯具制御装置３０とを備える。
【００１８】
車両１は、例えば４輪の乗用車である。なお、車両１は、車輪を回転させることにより走行するよう構成されたあらゆる種類の車両を含む。
灯具１０は、車両１の周囲又は内部に光を発光するための装置である。一般に、車両が備える灯具としては、例えば、前照灯、車幅灯、尾灯、室内灯などが挙げられるが、本施形態の灯具１０は、一例として、前照灯である。
【００１９】
また、車両の灯具の種類としては、一般に、例えばハロゲン電球、ディスチャージランプ、ＬＥＤランプなどが挙げられるが、本実施形態の灯具１０は、一例として、ＬＥＤランプである。即ち、灯具１０は、複数のＬＥＤを有し、通電によりその複数のＬＥＤの一部又は全てが点灯するよう構成されている。
【００２０】
ファン装置２０は、灯具１０へ空気を送風することにより灯具１０を冷却するための装置である。ファン装置２０は、ファン３１と、モータ３２と、保護回路３３とを備える。
ファン３１は、回転により風流を発生させるための部材である。ファン３１は、車両１において、回転により発生する風流が灯具１０に当たるように配置されている。モータ３２は、ファン３１を回転させるための駆動源である。モータ３２の回転軸は、直接またはギヤ等の伝達機構を介してファン３１に連結されており、モータ３２が回転するとファン３１が回転するように構成されている。
【００２１】
モータ３２には、灯具制御装置３０から、モータ３２を回転させるため、即ちファン３１を回転させるための、直流のファン電源電力が供給される。
保護回路３３は、保護スイッチ３４と、保護制御部３５とを備える。保護スイッチ３４は、灯具制御装置３０からモータ３２へのファン電源電力の供給経路である給電経路３６上に設けられている。灯具制御装置３０からのファン電源電力は、保護スイッチ３４がオンされて給電経路３６が導通されている場合に保護スイッチ３４を経てモータ３２に供給される。保護スイッチ３４がオフされている場合は、給電経路３６が遮断され、ファン電源電力はモータ３２に供給されない。
【００２２】
保護制御部３５は、灯具制御装置３０からファン電源電力が供給されている間にそのファン電源電力に基づいて動作する。保護制御部３５は、ファン３１がロック状態になった場合に発生する過電流からファン装置２０を保護するための保護機能を有する。具体的に、保護制御部３５が有する保護機能は、ファン３１がロック状態になった場合に、一定の遮断時間Ｔｓ１の間、保護スイッチ３４をオフさせて給電経路３６を遮断させ、遮断時間Ｔｓ１経過後は再び保護スイッチ３４をオンさせて給電経路３６を導通させるという、保護動作を行う機能である。
【００２３】
なお、保護スイッチ３４は、通常はオン状態にされている。具体的に、保護スイッチ３４は、例えば常閉接点であって、保護制御部３５によってオフされない限り通常はオンされた状態となるような構成であってもよい。また例えば、保護制御部３５が、その動作中、通常は保護スイッチ３４をオン状態に制御するような構成であってもよい。
【００２４】
また、ロック状態が具体的にどのような状態であるかについては適宜決めてもよい。即ち、ファン３１の回転が完全に停止している状態をロック状態と定義してもよいし、完全に停止している状態に加え、ファン３１の回転数が所定の回転数閾値未満である場合をロック状態と定義してもよい。なお、ここでいう回転数とは、単位時間当たりの回転数、即ち回転速度を意味する。また例えば、モータ３２に流れる電流の値であるファン電流値が所定の電流閾値以上である場合をロック状態と定義してもよい。
【００２５】
本実施形態では、一例として、ファン３１の回転数が回転数閾値未満である状態をロック状態と定義する。つまり、ファン装置２０の保護制御部３５が有する保護機能は、ファン３１の回転数が回転数閾値未満になった場合に保護スイッチ３４を遮断時間Ｔｓ１の間オフさせ、その後再び保護スイッチ３４をオンさせる、という保護動作を行う機能である。
【００２６】
保護制御部３５は、ファン３１がロック状態になった場合、実際にロック状態が発生した時からそのロック状態になっていることを検出して保護動作を開始するまでに、第１所要時間Ｔｊ１を要するように構成されている。第１所要時間Ｔｊ１は、例えば０．５秒〜１秒の範囲内の時間である。
【００２７】
ファン装置２０は、ファン３１の回転数を検出し、その回転数を示す回転情報としてファン回転信号を出力する機能を有する。本実施形態のファン回転信号は、ファン３１の回転数に応じた周波数のパルス信号である。
【００２８】
ファン回転信号は、例えば、ファン３１の回転数を検出する不図示の回転センサから出力されてもよいし、保護制御部３５又は不図示の他の回路がファン３１の回転数を検出する機能を有し、その検出した回転数を示すパルス信号をファン回転信号として出力する構成であってもよい。また、ファン回転信号がパルス信号であることは必須ではなく、ファン３１の回転数を示す回転情報を出力可能な他の形態の信号であってもよい。例えば、ファン３１の回転数を示すデジタルデータであってもよい。
【００２９】
車両１は、灯具スイッチ１２及び照度センサ１４を備えている。灯具スイッチ１２は、車両１の乗員により操作されるスイッチである。車両１の乗員は、灯具スイッチ１２を操作することにより、灯具１０を点灯させたり消灯させたりすることができる。灯具スイッチ１２の操作状態を示す操作信号は、灯具制御装置３０に入力される。照度センサ１４は、車両１の周囲の照度を検出し、その検出した照度を示す照度信号を出力する。照度センサ１４から出力される照度信号は、灯具制御装置３０に入力される。
【００３０】
灯具制御装置３０は、制御部２１と、灯具駆動部２２と、定電圧電源回路２３とを有する。制御部２１は、ＣＰＵ２１ａ及びメモリ２１ｂを有する周知のマイクロコンピュータを中心に構成される。メモリ２１ｂは、ＲＡＭ、ＲＯＭ、フラッシュメモリ等の半導体メモリを含む。制御部２１の各種機能は、ＣＰＵ２１ａが非遷移的実体的記録媒体に格納されたプログラムを実行することにより実現される。この例では、メモリ２１ｂが、プログラムを格納した非遷移的実体的記録媒体に該当する。また、このプログラムが実行されることで、プログラムに対応する方法が実行される。なお、制御部２１を構成するマイクロコンピュータの数は１つでも複数でもよい。
【００３１】
なお、制御部２１がマイクロコンピュータを含む構成であることは必須ではない。制御部２１が各種機能を実現する手法は、ソフトウェアに限るものではなく、その一部又は全部について、一つあるいは複数のハードウェアを用いて実現してもよい。例えば、上記機能がハードウェアである電子回路によって実現される場合、その電子回路は多数の論理回路を含むデジタル回路、又はアナログ回路、あるいはこれらの組合せによって実現してもよい。
【００３２】
（１−２）灯具制御装置の制御部の機能
制御部２１は、少なくとも２つの機能を有する。２つの機能のうち１つは、灯具１０の点灯、消灯を制御する灯具制御機能である。２つの機能のうちもう１つは、定電圧電源回路２３の動作を制御する電源制御機能である。
【００３３】
灯具制御機能について具体的に説明する。制御部２１には、灯具スイッチ１２からの操作信号及び照度センサ１４からの照度信号が入力される。制御部２１は、灯具スイッチ１２からの操作信号に基づき、灯具１０の点灯を指示する操作信号である場合は、灯具駆動部２２を制御して灯具駆動部２２から灯具１０へ電力を供給させることにより、灯具１０を点灯させる。制御部２１は、灯具１０からの操作信号が灯具１０の消灯を指示する信号である場合は、灯具駆動部２２を制御して灯具駆動部２２から灯具１０への電力供給を停止させることにより、灯具１０を消灯させる。また、制御部２１は、灯具スイッチ１２から灯具１０の消灯を指示する操作信号が入力されている場合であっても、照度センサ１４からの照度信号に基づき、照度が一定レベルより低い場合は灯具１０を点灯させる。
【００３４】
次に、制御部２１が備える電源制御機能について説明する。制御部２１は、定電圧電源回路２３へ電源制御信号を出力することにより、定電圧電源回路２３の動作を制御する。
定電圧電源回路２３は、例えば車両１が備えるバッテリなどの不図示の電力源から供給される電力に基づいて、直流のファン電源電力を生成し、ファン装置２０へ出力する。ファン電源電力の電圧値は、例えば直流５Ｖである。定電圧電源回路２３は、例えば、シリーズレギュレータ或いはスイッチングレギュレータなどであってもよい。定電圧電源回路２３によるファン電源電力の生成は、制御部２１からの電源制御信号によって制御される。
【００３５】
なお、定電圧電源回路２３は、本開示の電源部の一例であり、電源部として定電圧電源回路２３とは異なる構成を採用してもよい。即ち、ファン３１を回転させるための電源電力を生成することが可能な各種構成の電源部を採用可能である。
【００３６】
制御部２１は、灯具１０を点灯させる必要がない通常時は、定電圧電源回路２３へ、ファン電源電力の出力停止を指示する電源制御信号を出力する。定電圧電源回路２３は、電源制御信号によってファン電源電力の出力停止を指示されている場合は、ファン電源電力の出力を停止する。なおこの場合、定電圧電源回路２３は、ファン電源電力の生成自体を停止してもよいし、ファン電源電力の生成を含む、定電圧電源回路２３全体の動作を停止してもよいし、ファン電源電力の生成は行っているもののファン装置２０への出力を停止するようにしてもよい。また例えば、灯具制御装置３０内において、定電圧電源回路２３からファン装置２０へのファン電源電力の供給経路上にスイッチを設け、そのスイッチをオフさせることによってファン電源電力がファン装置２０へ出力されるのを遮断するようにしてもよい。
【００３７】
一方、制御部２１は、灯具１０を点灯させている間は、連続的又は断続的に、定電圧電源回路２３へ、ファン電源電力の生成を指示する電源制御信号を出力する。定電圧電源回路２３は、電源制御信号によってファン電源電力の生成を指示されている間は、ファン電源電力をファン装置２０へ出力する。
【００３８】
また、制御部２１には、ファン装置２０から出力されるファン回転信号が入力される。制御部２１は、ファン回転信号に基づいてファン３１の回転数を検出し、その検出した回転数に基づいて、ファン３１がロック状態であるか否か判断する。そして、ロック状態と判断した場合は、定電圧電源回路２３に対して一定時間ファン電源電力の出力を停止させる。この機能を、以下、ロック対応機能と称する。
【００３９】
制御部２１は、ファン３１がロック状態になった場合、実際にロック状態が発生した時から第２所要時間Ｔｊ２が経過するまでの間に、ロック状態になっていることを検出して定電圧電源回路２３からのファン電源電力の出力を停止させることが可能に構成されている。第２所要時間Ｔｊ２は、前述の第１所要時間Ｔｊ１よりも短い時間である。
【００４０】
つまり、制御部２１は、ファン３１がロック状態になった場合に、ファン装置２０が保護動作を開始しないうちに、即ちファン装置２０自身がモータ３２へのファン電源電力の供給を遮断するよりも先に、定電圧電源回路２３からのファン電源電力の出力を停止させるように構成されている。
【００４１】
また、制御部２１は、ロック状態を検出してファン電源電力の出力を停止させた場合、規定停止時間Ｔｓ２の間はその出力停止を維持させ、規定停止時間Ｔｓ２が経過したら、再びファン電源電力を出力させる。そして、ファン電源電力の出力再開後は、再び、ファン回転パルスに基づいてファン３１の回転数を監視し、ロック状態であると判断した場合は前述同様にファン電源電力の出力を規定停止時間Ｔｓ２の間停止させる。
【００４２】
また、制御部２１は、ファン３１がロック状態であるとの判断が継続されている間、そのロック状態であるとの判断を行う度に、その判断回数であるロック判断回数Ｋを計数する。つまり、ロック状態が継続している間、ロック状態であると判断する度にロック判断回数Ｋを１つずつインクリメントしていく。そして、ロック判断回数Ｋが回数閾値Ｎ以上になった場合は、異常確定処理を行う。
【００４３】
異常確定処理は、少なくとも、ファン電源電力の出力を規定停止時間Ｔｓ２よりも長い時間停止させる処理である。異常確定処理のより具体的な内容は適宜決めてもよい。例えば、ファン装置２０の点検、修理、交換などの特定の処置が行われるまではファン電源電力の出力停止状態を継続させるようにしてもよい。また、ファン電源電力の出力停止に加えて、例えば、ファン３１を正常に動作させることができない異常状態が発生していることを車両１の乗員に視覚的又は聴覚的に報知してもよい。
【００４４】
（１−３）ロック対応機能の有無による動作比較
灯具制御装置３０の制御部２１がロック対応機能を有していない場合と有している場合とで、ファン３１がロック状態になった場合の灯具制御装置３０及びファン装置２０の動作例を、図２及び図３を用いて説明する。
【００４５】
図２に例示するように、灯具制御装置３０の制御部２１がロック対応機能を有していない場合、時刻ｔ２でファン３１がロック状態になると、その実際にロック状態になった時刻ｔ２から第１所要時間Ｔｊ１経過後の時刻ｔ３で、ファン装置２０自身の保護機能によって保護スイッチ３４がオフされる。
【００４６】
保護スイッチ３４がオフされると、モータ３２へのファン電源電力の供給が遮断され、これにより、モータ３２に流れる電流であるファン電流の値が０になり、定電圧電源回路２３から出力されるファン電源電力の電圧値であるファン電源電圧値がオーバーシュートする。つまり、定電圧電源回路２３からはファン電源電力の供給が継続されているにもかかわらずファン装置２０側でモータ３２への通電が遮断されたことによって、定電圧電源回路２３から出力されるファン電源電圧の値が瞬間的に急増する。
【００４７】
ファン装置２０は、保護スイッチ３４を遮断時間Ｔｓ１の間オフさせた後の時刻ｔ４で再び保護スイッチ３４をオンさせる。これにより、モータ３２に再びファン電源電力が供給される。
【００４８】
このとき、ファン３１が依然としてロック状態になっている場合、即ちファン電源電力の供給再開時に既にファン３１がロック状態になっている場合は、ファン電源電力の供給再開時から第１所要時間Ｔｊ１経過後の時刻ｔ５で再びファン装置２０による保護動作が行われ、保護スイッチ３４が再びオフされる。よって、この時刻ｔ５でも、時刻ｔ３と同様、ファン電源電圧のオーバーシュートが発生する。
【００４９】
つまり、ファン３１のロック状態が継続している限り、ファン装置２０による保護動作が繰り返され、保護動作が行われる度にファン電源電圧のオーバーシュートが発生する。ファン電源電圧がオーバーシュートすると、ファン装置２０に過大な電圧が印加されることになり、これによりファン装置２０に故障等の悪影響を及ぼすおそれがある。
【００５０】
これに対し、本実施形態の灯具制御装置３０は、ファン３１のロック状態を検出してファン装置２０側で保護動作が行われるよりも前にファン電源電力の出力を停止させるというロック対応機能を備えている。
【００５１】
灯具制御装置３０がロック対応機能を備えている場合、図３に例示するように、時刻ｔ２でファン３１がロック状態になると、制御部２１が、その実際にロック状態になった時刻ｔ２から第２所要時間Ｔｊ２が経過するまでの間にそのロック状態を判断し、定電圧電源回路２３からのファン電源電力の出力を停止させる。図３は、実際にロック状態になってからちょうど第２所要時間Ｔｊ２が経過した時刻ｔ３でロック状態が判断されてファン電源電力の出力が停止される例を示している。
【００５２】
第２所要時間Ｔｊ２は、前述の通り、第１所要時間Ｔｊ１よりも短い。そのため、ロック状態が発生した時刻ｔ２の後、ファン装置２０による保護動作が行われないうちにファン電源電力の出力が停止される。
【００５３】
時刻ｔ３でファン電源電力の出力が停止されると、定電圧電源回路２３から出力されるファン電源電圧の値は０になり、ファン装置２０に供給されるファン電流も０になる。よって、図２に示したようなファン電源電圧のオーバーシュートは抑制される。
【００５４】
制御部２１は、ファン電源電力の出力を規定停止時間Ｔｓ２の間オフさせた後の時刻ｔ４で再び定電圧電源回路２３に対してファン電源電力の出力を再開させる。これにより、ファン装置２０に再びファン電源電力が入力される。
【００５５】
このとき、ファン３１が依然としてロック状態になっている場合、即ちファン電源電力の出力再開時に既にファン３１がロック状態になっている場合は、ファン電源電力の出力再開時から第２所要時間Ｔｊ２経過時の時刻ｔ５で再び制御部２１によりロック状態が判断され、ファン電源電力の出力が再び停止される。この場合も、ファン装置２０による保護動作が行われないうちにファン電源電力の出力が停止される。
【００５６】
ファン３１のロック状態が継続している限り、制御部２１によるファン電源電力の出力の一時停止及び再開が繰り返される。そして、時刻ｔ１１でロック判断回数Ｋが回数閾値Ｎに到達すると、異常確定処理が実行される。
【００５７】
（１−４）ファン電源制御処理
次に、灯具制御装置３０の制御部２１が実行するファン電源制御処理について、図４のフローチャートを用いて説明する。
【００５８】
制御部２１は、例えば灯具１０の点灯時など、定電圧電源回路２３へファン電源電力の生成を指示する電源制御信号を出力してファン電源電力の生成、出力を開始させたとき、図４のファン電源制御処理を開始する。そして、例えば灯具１０の消灯時など、ファン３１の回転が不要になって定電圧電源回路２３へファン電源電力の出力停止を指示する電源制御信号を出力してファン電源電力の生成、出力を停止させたとき、このファン電源制御処理を終了する。
【００５９】
制御部２１は、図４のファン電源制御処理を開始すると、Ｓ１１０で、ロック判断回数Ｋを０に初期化する。Ｓ１２０では、ファン回転パルスに基づいてファン３１の回転数をモニタする。具体的に、ファン回転パルスのパルス間隔に基づいてファン３１の回転数を演算する。
【００６０】
Ｓ１３０では、Ｓ１２０でモニタしたファン３１の回転数に基づき、ファン３１がロック状態になっているか否か判断する。ロック状態になっていない場合、即ち回転数が回転数閾値以上の場合は、Ｓ１１０に戻る。ロック状態になっている場合、即ち回転数が回転数閾値未満の場合は、Ｓ１４０に進む。
【００６１】
Ｓ１４０では、定電圧電源回路２３からのファン電源電力の出力を停止させる。なお、ファン３１がロック状態になっている場合、本実施形態では、Ｓ１２０〜Ｓ１４０の処理が、第２所要時間Ｔｊ２以内で行われる。
【００６２】
Ｓ１５０では、ロック判断回数Ｋを現在の値から１つ加算する。Ｓ１６０では、ロック判断回数Ｋが回数閾値Ｎ以上であるか否か判断する。ロック判断回数Ｋがまだ回数閾値Ｎに達していない場合は、Ｓ１７０に進む。Ｓ１７０では、ファン電源電力の出力を停止させた状態で規定停止時間Ｔｓ２待機する。そして、出力停止から規定停止時間Ｔｓ２が経過したら、Ｓ１８０で、定電圧電源回路２３からのファン電源電力の出力を再開させて、Ｓ１２０に戻る。なお、ロック状態と判断された後、回転数が上昇してロック状態ではなくなった場合は、Ｓ１３０からＳ１１０に処理が進んでロック判断回数Ｋがクリアされる。
【００６３】
Ｓ１６０で、ロック判断回数Ｋが回数閾値Ｎ以上である場合は、Ｓ１９０で、異常確定処理を実行する。
（１−５）第１実施形態の効果
以上説明した第１実施形態によれば、以下の（１ａ）〜（１ｃ）の効果を奏する。
【００６４】
（１ａ）ファン３１がロック状態になった場合、灯具制御装置３０の制御部２１は、ファン装置２０にて保護動作が行われないうちにファン電源電力の出力を停止させる。
より具体的に、ファン装置２０の保護機能は、ファン３１が実際にロック状態になってから保護動作を開始するまでに少なくとも第１所要時間Ｔｊ１を要するように構成されている。これに対し、灯具制御装置３０の制御部２１は、ファン３１が実際にロック状態になってから、第１所要時間Ｔｊ１よりも短い第２所要時間Ｔｊ２が経過するまでの間に、ファン電源電力の出力を停止させる。
【００６５】
そのため、ファン装置２０へファン電源電力が入力されている状態のままファン装置２０側で保護動作が行われることが抑制され、ファン３１のロック状態が発生した場合に定電圧電源回路２３からファン装置２０へ入力されるファン電源電圧のオーバーシュートを抑制することが可能となる。
【００６６】
（１ｂ）灯具制御装置３０の制御部２１は、ファン回転信号に基づいてファン３１の回転数をモニタし、そのモニタした回転数に基づいてファン３１がロック状態か否かを判断する。そのため、ロック状態か否かの判断を精度良く行うことができる。
【００６７】
しかも、ファン装置２０自身がファン回転信号を出力するように構成されており、制御部２１は、そのファン装置２０から出力されるファン回転信号を入力してファン３１の回転数をモニタする。そのため、ファン３１の回転数を検出するためのセンサや配線等を別途新たに設けることなく、ファン３１の回転数をモニタすることができる。
【００６８】
（１ｃ）灯具制御装置３０の制御部２１は、ファン３１がロック状態であると判断する度に、その判断回数を計数、即ちロック判断回数Ｋをインクリメントしていく。そしてロック判断回数Ｋが回数閾値以上になった場合は、異常確定処理を実行する。そのため、ロック状態が継続するような異常状態が発生している場合に、その異常状態から車両１を適切に保護することができる。
【００６９】
（１−６）特許請求の範囲の文言との対応関係
ここで、第１実施形態の文言と特許請求の範囲の文言との対応関係について説明する。ロック状態は、第１ロック状態および第２ロック状態の双方に相当する。回転数閾値は、第１閾値及び第２閾値の双方に相当する。制御部２１は、灯具制御部及び電源制御部に相当する。定電圧電源回路２３は電源部に相当する。図４のファン電源制御処理において、Ｓ１２０は回転情報取得部の処理に相当し、Ｓ１３０〜Ｓ１４０及びＳ１７０〜Ｓ１８０は出力遮断部の処理に相当し、Ｓ１５０は計数部の処理に相当し、Ｓ１９０は異常確定部の処理に相当する。
【００７０】
［２．第２実施形態］
第２実施形態は、基本的な構成は第１実施形態と同様であるため、相違点について以下に説明する。なお、第１実施形態と同じ符号は、同一の構成を示すものであって、先行する説明を参照する。
【００７１】
第２実施形態が第１実施形態と異なるのは、ファン装置２０におけるロック状態の判断基準と灯具制御装置３０の制御部２１におけるロック状態の判断基準が異なること、及び、灯具制御装置３０の制御部２１が実行するファン電源制御処理の内容である。
【００７２】
ファン装置２０は、ファン３１の回転数が第１回転数閾値未満である第１ロック状態になっている場合に、保護動作を行う。これに対し、灯具制御装置３０の制御部２１は、第１回転数閾値よりも大きい所定の回転数を第２回転数閾値として、ファン３１の回転数が第２回転数閾値未満である第２ロック状態になっている場合に、ファン電源電力の出力を停止させる。
【００７３】
即ち、ファン３１の回転数が通常時の回転数から低下していった場合、第１ロック状態よりも先に第２ロック状態が発生する。これにより、制御部２１は、ファン３１が第１ロック状態になっていない状態、即ちファン装置２０で保護動作が行われるような状態までは回転数が低下していない状態であっても、第２ロック状態であることを判断したらファン電源電力の出力を停止させる。
【００７４】
そのため、制御部２１が第２ロック状態を判断するのに要する第２所要時間Ｔｊ２は、第１実施形態における第２所要時間Ｔｊ２よりも長い時間であってもよい。
次に、第２実施形態のファン電源制御処理について、図５を用いて説明する。第２実施形態の制御部２１は、図５のファン電源制御処理を開始すると、Ｓ３１０で、計時値を０にクリアする。ここで、計時値とは、第２ロック状態の発生が判断された場合における、その判断時からの経過時間を示す。
【００７５】
Ｓ３２０では、図４のＳ１２０と同様、ファン３１の回転数をモニタする。Ｓ３３０では、Ｓ３２０でモニタしたファン３１の回転数に基づき、ファン３１が第２ロック状態になっているか否か判断する。第２ロック状態になっていない場合、即ち回転数が第２回転数閾値以上の場合は、Ｓ３１０に戻る。第２ロック状態になっている場合、即ち回転数が第２回転数閾値未満の場合は、Ｓ３４０に進む。Ｓ３４０では、定電圧電源回路２３からのファン電源電力の出力を停止させる。なお、ファン３１が第２ロック状態になっている場合、本第２実施形態では、Ｓ３２０〜Ｓ３４０の処理が、第２所要時間Ｔｊ２以内で行われる。
【００７６】
Ｓ３５０では、経過時間の計時が既に実行中であるか否か判断する。計時がまだ実行されていない場合は、Ｓ３６０で、経過時間の計時を開始する。Ｓ３７０では、ファン電源電力の出力を停止させた状態で規定停止時間Ｔｓ２待機する。そして、出力停止から規定停止時間Ｔｓ２が経過したら、Ｓ３８０で、定電圧電源回路２３からのファン電源電力の出力を再開させて、Ｓ３２０に戻る。
【００７７】
Ｓ３５０で、経過時間の計時が既に実行中である場合は、Ｓ３９０に進む。Ｓ３９０では、計時中の計時値が時間閾値以上であるか否か判断する。時間閾値は適宜決めてよく、本第２実施形態では、例えば、４秒〜１２０秒の範囲内における所定の値が時間閾値として設定されている。なお、計時中に回転数が上昇して第２ロック状態ではなくなった場合は、Ｓ３３０からＳ３１０に処理が進んで計時値がクリアされる。
【００７８】
計時値がまだ時間閾値未満の場合は、Ｓ３７０に進む。計時値が時間閾値以上になっている場合は、Ｓ４００に進み、異常確定処理を実行する。
以上詳述した第２実施形態によれば、前述した第１実施形態の効果（１ｂ）を奏する。また、第１実施形態の効果（１ａ）をより高めることができる。具体的に、第２実施形態では、ファン３１のロック状態を判断する基準がファン装置２０と灯具制御装置３０とで異なり、灯具制御装置３０での判断基準の方がファン装置２０の判断基準よりも厳しい。そのため、ファン３１の回転数が低下していった場合に、ファン装置２０自身が保護動作を行うよりもより早くファン電源電力の出力を停止させることができる。
【００７９】
また、第２実施形態では、第２ロック状態が時間閾値以上継続した場合は異常確定処理が実行される。そのため、第２ロック状態が継続するような異常状態が発生している場合に、その異常状態から車両１を適切に保護することができる。
【００８０】
なお、図５のファン電源制御処理において、Ｓ３２０は回転情報取得部の処理に相当し、Ｓ３３０〜Ｓ３４０及びＳ３７０〜Ｓ３８０は出力遮断部の処理に相当し、Ｓ３５０〜Ｓ３６０は計時部の処理に相当し、Ｓ４００は異常確定部の処理に相当する。
【００８１】
［３．他の実施形態］
以上、本開示の実施形態について説明したが、本開示は上述の実施形態に限定されることなく、種々変形して実施することができる。
【００８２】
（３−１）ロック状態か否かをファン３１の回転数に基づいて判断することは必須ではなく、ファン３１の回転数を示す別の物理量に基づいて判断するようにしてもよい。
例えば、ファン装置２０のモータ３２に流れるファン電流に基づいてロック状態か否かを判断するようにしてもよい。具体的に、ファン電流に対して電流閾値を設定し、ファン電流が電流閾値以上になった場合にロック状態と判断するようにしてもよい。
【００８３】
その場合、ファン装置２０における電流閾値を第１電流閾値として、灯具制御装置３０の制御部２１における電流閾値を第１電流閾値よりも低い第２電流閾値に設定し、灯具制御装置３０においてはファン電流が第２電流閾値以上になった場合にロック状態と判断するようにしてもよい。
【００８４】
なお、ファン電流に基づいてロック状態を判断する場合、ファン電流が電流閾値以上になった直後にロック状態と判断してもよいし、電流閾値以上の状態が一定時間継続した場合にロック状態と判断するようにしてもよい。
【００８５】
また、ファン電流に基づいてロック状態を判断する場合、ファン装置２０からファン電流を示す情報が出力されて灯具制御装置３０に入力される構成であってもよいし、別途、ファン電流を検出するための電流検出回路を設け、その電流検出回路からファン電流の情報を取得する構成であってもよい。
【００８６】
（３−２）第１実施形態において、ロック判断回数Ｋが回数閾値Ｎ以上になった場合に異常確定処理を行うことは必須ではない。ロック状態と判断されたらすぐに異常確定処理を行っても良い。
【００８７】
（３−３）灯具制御装置３０において、灯具１０の制御と定電圧電源回路２３の制御とを別々のマイクロコンピュータによって行うようにしてもよい。
（３−４）灯具制御装置３０において、ファン３１の回転情報に基づくロック状態の判断及びその判断結果に基づく定電圧電源回路２３の制御の一部又は全てを、マイクロコンピュータによるソフトウェア処理ではなくハードウェア処理によって実現してもよい。
【００８８】
（３−５）ファン装置の構成として、図１に示したファン装置２０はあくまでも一例である。本開示は、供給されるファン電源電力によってファンが回転されるよう構成された各種のファン装置に対して適用可能である。
【００８９】
（３−６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００９０】
（３−７）上述した灯具制御装置３０の他、当該灯具制御装置３０を構成要素とするシステム、当該灯具制御装置３０としてコンピュータを機能させるためのプログラム、このプログラムを記録した半導体メモリ等の非遷移的実態的記録媒体、灯具制御装置３０におけるファン電源電力の出力を制御する方法など、種々の形態で本開示を実現することもできる。
【符号の説明】
【００９１】
１…車両、１０…灯具、１２…灯具スイッチ、１４…照度センサ、２０…ファン装置、２１…制御部、２１ａ…ＣＰＵ、２１ｂ…メモリ、２２…灯具駆動部、２３…定電圧電源回路、３０…灯具制御装置、３１…ファン、３２…モータ、３３…保護回路、３４…保護スイッチ、３５…保護制御部、３６…給電経路。
【図１】
2018041553.tif 000003
【図２】
2018041553.tif 000004
【図３】
2018041553.tif 000005
【図４】
2018041553.tif 000006
【図５】
2018041553.tif 000007